(57)【要約】【課題】効率的な上りリンクの衝突型データ送信を可能とする。【解決手段】基地局装置は、基地局装置から近い位置にいる移動局装置に対しての衝突型無線リソースの割り当てと基地局装置から遠い位置にいる移動局装置に対しての衝突型無線リソースの割り当てを行い、それぞれの割り当て情報を作成して、それぞれの割り当て情報に異なる識別情報を使用して移動局装置に送信し、移動局装置は、それぞれの識別情報を受信して、下りリンクの無線伝搬路状態により自移動局装置に適した衝突型無線リソースの選択を行い、衝突型データ送信を行なう。【選択図】図８
2011142533.tif 000002
【特許請求の範囲】
【請求項１】
基地局装置と複数の移動局装置間で通信を行ない、前記移動局装置の１つ以上は、前記基地局装置から個別に上りリンクのデータ送信の為の無線リソース割り当てがされていない移動局装置を含んでいる無線通信システムであって、
前記基地局装置は、前記移動局装置に移動局装置間で共通であり、１つ以上の上りリンク無線リソースを割り当てて、前記無線リソース割り当てを示した情報を前記移動局装置に送信し、
前記移動局装置は、前記無線リソース割り当てを示した情報を受信し、移動局装置個別に割り当てられた上りリンクの無線リソースがなく、送信するデータがある場合、下りリンクの無線伝搬路状態に応じて、前記割り当てられた無線リソースの中から無線リソースを選択し、前記選択した無線リソースを用いてデータを送信することを特徴とする無線通信システム。
【請求項２】
前記基地局装置は、前記無線リソース割り当てを示した情報を複数作成し、前記無線リソース割り当てを示した情報に下りリンク無線伝搬路状態に対応した識別情報を付加して、移動局装置に送信し、
前記移動局装置は、前記識別情報をモニタリングし、前記識別情報を検出し、前記無線リソース割り当てを示した情報を受信した場合、下りリンクの無線伝搬路状態に応じて、前記識別情報で示された無線リソースを選択し、前記選択した無線リソースにデータを送信することを特徴とする請求項１記載の無線通信システム。
【請求項３】
基地局装置と複数の移動局装置との間で通信を行い、前記移動局装置の１つ以上は上りリンクのデータ送信の為の無線リソース割り当てがされていない移動局装置を含んでいる無線通信システムであって、
前記基地局装置は、移動局装置間で共通に送信可能な上りリンク無線リソースの分割に関する情報を前記移動局装置に通知し、更に移動局装置間で共通の１つ以上の上りリンク無線リソースを割り当てて、前記無線リソース割り当てを示した情報を前記移動局装置に送信し、
前記移動局装置は、前記分割に関する情報を受信し、前記無線リソース割り当てを示した情報を受信した場合、前記分割に関する情報をもとに前記無線リソースを分割することを特徴する無線通信システム。
【請求項４】
前記移動局装置は、送信するデータがある場合、前記分割した無線リソースの中から無線リソースを選択し、前記選択した無線リソースにデータを送信することを特徴とする請求項３記載の無線通信システム。
【請求項５】
前記移動局装置間で共通に送信可能な上りリンク無線リソースの分割に関する情報は、前記無線リソース割り当て情報で示される無線リソースを分割する数を示すことを特徴する請求項３記載の無線通信システム。
【請求項６】
１つ以上の上りリンクのデータ送信の為の無線リソース割り当てがされていない移動局装置を含む複数の移動局装置との間で通信を行なう基地局装置であって、
通信している複数の移動局装置に移動局装置間で共通であり、下りリンク無線伝搬路状態に対応した１つ以上の上りリンク無線リソースを割り当てて、前記無線リソース割り当てを示した情報を前記移動局装置に送信することを特徴とする基地局装置。
【請求項７】
１つ以上の上りリンクのデータ送信の為の無線リソース割り当てがされていない移動局装置を含む複数の移動局装置との間で通信を行なう基地局装置であって、
移動局装置間で共通に送信可能な上りリンク無線リソースの分割に関する情報を前記移動局装置に通知し、更に移動局装置間で共通の１つ以上の上りリンク無線リソースを割り当てて、前記無線リソースの位置を示した情報を前記移動局装置に送信することを特徴とする基地局装置。
【請求項８】
基地局装置と通信する移動局装置であって、
前記基地局装置から移動局装置間で共通の１つ以上の上りリンク無線リソースの位置を示した情報を受信した場合、前記基地局装置から移動局装置個別に割り当てられた上りリンクの無線リソースがなく、送信するデータがある場合、下りリンクの無線伝搬路状況に応じて、前記割り当てられた無線リソースの中から無線リソースを選択し、前記選択した無線リソースを用いてデータを送信することを特徴とする移動局装置。
【請求項９】
基地局装置と通信する移動局装置であって、
前記基地局装置から移動局装置間で共通に送信可能な上りリンク無線リソースの分割に関する情報を受信し、
更に前記基地局装置から移動局装置間で共通の１つ以上の上りリンク無線リソースの位置を示した情報を受信した場合、前記分割に関する情報をもとに前記無線リソースを分割することを特徴する移動局装置。
【請求項１０】
基地局装置と複数の移動局装置間で通信を行ない、前記移動局装置の１つ以上は個別に上りリンクのデータ送信の為の無線リソース割り当てがされていない移動局装置を含んでいる無線通信システムに適用される無線通信方法であって、
前記基地局装置おいて、通信している複数の移動局装置に移動局装置間で共通であり、１つ以上の上りリンク無線リソースを割り当てるステップと、前記無線リソース割り当てを示した情報を前記移動局装置に送信するステップと、
前記移動局装置おいて、前記無線リソースの位置を示した情報を受信するステップと、移動局装置個別に割り当てられた上りリンクの無線リソースがなく、送信するデータがある場合、下りリンクの無線伝搬路状況に応じて、前記割り当てられた無線リソースの中から無線リソースを選択するステップと、前記選択した無線リソースを用いてデータを送信するステップを少なくとも含むことを特徴とする無線通信方法。
【請求項１１】
基地局装置と複数の移動局装置との間で通信を行い、前記移動局装置の１つ以上は上りリンクのデータ送信の為の無線リソース割り当てがされていない移動局装置を含んでいる無線通信システムに適用される無線通信方法であって、
前記基地局装置おいて、移動局装置間で共通に送信可能な上りリンク無線リソースの分割に関する情報を前記移動局装置に通知するステップと、更に移動局装置間で共通の１つ以上の上りリンク無線リソースを割り当てて、前記無線リソースの位置を示した情報を前記移動局装置に送信するステップと、
前記移動局装置おいて、前記分割に関する情報を受信し、前記無線リソースの位置を示した情報を受信した場合、前記分割に関する情報をもとに前記無線リソースを分割するステップを少なくとも含むことを特徴とする無線通信方法。
【請求項１２】
基地局装置と複数の移動局装置間で通信を行ない、前記移動局装置の１つ以上は個別に上りリンクのデータ送信の為の無線リソース割り当てがされていない移動局装置を含んでいる無線通信システムに適用される集積回路であって、
前記基地局装置おいて、通信している複数の移動局装置に移動局装置間で共通であり、下りリンク無線伝搬路状態に対応した１つ以上の上りリンク無線リソースを割り当てる手段と、前記無線リソース割り当てを示した情報を前記移動局装置に送信する手段を有することを特徴とする集積回路。
【請求項１３】
基地局装置と複数の移動局装置間で通信を行ない、前記移動局装置の１つ以上は個別に上りリンクのデータ送信の為の無線リソース割り当てがされていない移動局装置を含んでいる無線通信システムに適用される集積回路であって、
前記移動局装置において、前記基地局装置から移動局装置間で共通の１つ以上の上りリンク無線リソース割り当てを示した情報を受信する手段と前記基地局装置から移動局装置個別に割り当てられた上りリンクの無線リソースがなく、送信するデータがある場合、下りリンクの無線伝搬路状態に応じて、前記割り当てられた無線リソースの中から無線リソースを選択する手段と、前記選択した無線リソースを用いてデータを送信する手段を有することを特徴とする集積回路。
【請求項１４】
基地局装置と複数の移動局装置との間で通信を行い、前記移動局装置の１つ以上は上りリンクのデータ送信の為の無線リソース割り当てがされていない移動局装置を含んでいる無線通信システムに適用される集積回路であって、
前記基地局装置において、移動局装置間で共通に送信可能な上りリンク無線リソースの分割に関する情報を前記移動局装置に通知する手段と、
更に移動局装置間で共通の１つ以上の上りリンク無線リソースを割り当てる手段と、前記無線リソース割り当てを示した情報を前記移動局装置に送信する手段を有することを特徴する集積回路。
【請求項１５】
基地局装置と複数の移動局装置との間で通信を行い、前記移動局装置の１つ以上は上りリンクのデータ送信の為の無線リソース割り当てがされていない移動局装置を含んでいる無線通信システムに適用される集積回路であって、
前記移動局装置において、移動局装置間で共通に送信可能な上りリンク無線リソースの分割に関する情報を受信する手段と、前記無線リソース割り当てを示した情報を受信する手段と、前記分割に関する情報をもとに前記割り当てられた無線リソースを分割する手段を有することを特徴する集積回路。
【発明の詳細な説明】
【技術分野】
【０００１】
本発明は、基地局装置、移動局装置および無線通信システムに関連し、より詳細には、衝突型データ送信時の動作における移動局装置、基地局装置、無線通信システム、無線通信方法および集積回路に関する。
【背景技術】
【０００２】
３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡも標準化され、サービスが開始されている。
【０００３】
一方、３ＧＰＰでは、第三世代無線アクセスの進化（Evolved Universal Terrestrial Radio Access；以下、「EUTRA」と呼称する。）の標準化も行なわれている。ＥＵＴＲＡの下りリンクの通信方式として、マルチパス干渉に強く、高速伝送に適したＯＦＤＭ（Orthogonal Frequency Division Multiplexing）方式が採用されている。また、上りリンクの通信方式として、移動局装置のコストと消費電力を考慮し、送信信号のピーク電力対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform（離散フーリエ変換））−ｓｐｒｅａｄ  ＯＦＤＭ方式が採用されている。
【０００４】
また、３ＧＰＰでは、ＥＵＴＲＡの更なる進化のＡｄｖａｎｃｅｄ−ＥＵＴＲＡの議論も開始されている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことが想定されている。
【０００５】
Ａｄｖａｎｃｅｄ−ＥＵＴＲＡでは、ＥＵＴＲＡの移動局装置も収容できるようにＥＵＴＲＡの２０ＭＨｚの帯域を複数個束ねることで、１００ＭＨｚ帯域を実現することが考えられている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼ばれている（非特許文献１）。
【０００６】
また、Ａｄｖａｎｃｅｄ−ＥＵＴＲＡでは、ＥＵＴＲＡでのコネクション接続時やユーザーデータを送信するまでに費やされるなどに費やされる処理時間（遅延時間）を改善することが課題となっている。
【０００７】
非特許文献２では、無線リソース要求信号（スケジューリングリクエスト: Scheduling Request）を使用した無線リソース要求ではデータ送信までに時間が費やされることから、基地局装置と上りリンク同期を維持している移動局装置に対して、基地局装置が新たに移動局装置間で共通の衝突型（競合型）無線リソースを割り当て、送信するデータのある移動局装置は移動局装置間で共通の衝突型無線リソースを用いてデータを送信することによってユーザーデータ送信の遅延時間を短縮する衝突型データ送信の方法が提案されている。
【先行技術文献】
【非特許文献】
【０００８】
【非特許文献１】3GPP TR(Technical Specification)36.814、V1.00(2009-03)、Evolved Universal Terrestrial Radio Access(E-UTRA) Radio Resource Control(RRC) Protocol specification
【非特許文献２】R2-093812、Ericsson、”Contention based uplink transmission”、3GPP RAN WG2 #66bis、Los Angeles、USA、29th June - 03rd July、2009
【非特許文献３】3GPP TS(Technical Specification)36.300、V8.70(2009-03)、Evolved Universal Terrestrial Radio Access(E-UTRA) and Evolved Universal Terrestrial Radio Access Network(E-UTRAN)、Overall description Stage2
【発明の概要】
【発明が解決しようとする課題】
【０００９】
しかしながら、非特許文献２で提案されている上りリンクの衝突型データ送信についての詳細な記載はなく、基地局装置から遠くに位置する移動局装置は、基地局装置の近くに位置する移動局装置に比べ１リソースブロックで送信可能なデータ容量は少ない。基地局装置は、移動局装置の位置がわからないため、衝突型の無線リソースを割り当てる場合、遠い移動局装置に合わせたリソース容量に設定しなければばらない。この様に遠い移動局装置にリソース容量を合わせることで無線リソース割り当ての利用効率が悪くなるという問題がある。
【００１０】
本発明は、このような事情に鑑みてなされたものであり、衝突型上りリンクデータ送信に対して、効率の良いデータ送信が可能な移動局装置、基地局装置、無線通信システム、無線通信方法及び集積回路を提供することを目的とする。
【課題を解決するための手段】
【００１１】
（１）上記の目的を達成するために、本発明は、以下のような手段を講じた。すなわち、本発明の無線通信システムは、基地局装置と複数の移動局装置間で通信を行ない、前記移動局装置の１つ以上は、前記基地局装置から個別に上りリンクのデータ送信の為の無線リソース割り当てがされていない移動局装置を含んでいる無線通信システムであって、前記基地局装置は、前記移動局装置に移動局装置間で共通であり、１つ以上の上りリンク無線リソースを割り当てて、前記無線リソース割り当てを示した情報を前記移動局装置に送信し、前記移動局装置は、前記無線リソース割り当てを示した情報を受信し、移動局装置個別に割り当てられた上りリンクの無線リソースがなく、送信するデータがある場合、下りリンクの無線伝搬路状態に応じて、前記割り当てられた無線リソースの中から無線リソースを選択し、前記選択した無線リソースを用いてデータを送信することを特徴としている。
【００１２】
（２）また、本発明の無線通信システムにおいて、前記基地局装置は、前記無線リソース割り当てを示した情報を複数作成し、前記無線リソース割り当てを示した情報に下りリンク無線伝搬路状態に対応した識別情報を付加して、移動局装置に送信し、前記移動局装置は、前記識別情報をモニタリングし、前記識別情報を検出し、前記無線リソース割り当てを示した情報を受信した場合、下りリンクの無線伝搬路状態に応じて、前記識別情報で示された無線リソースを選択し、前記選択した無線リソースにデータを送信することを特徴としている。
【００１３】
（３）また、本発明の無線通信システムにおいて、基地局装置と複数の移動局装置との間で通信を行い、前記移動局装置の１つ以上は上りリンクのデータ送信の為の無線リソース割り当てがされていない移動局装置を含んでいる無線通信システムであって、前記基地局装置は、移動局装置間で共通に送信可能な上りリンク無線リソースの分割に関する情報を前記移動局装置に通知し、更に移動局装置間で共通の１つ以上の上りリンク無線リソースを割り当てて、前記無線リソース割り当てを示した情報を前記移動局装置に送信し、前記移動局装置は、前記分割に関する情報を受信し、前記無線リソース割り当てを示した情報を受信した場合、前記分割に関する情報をもとに前記無線リソースを分割することを特徴としている。
【００１４】
（４）また、本発明の無線通信システムにおいて、前記移動局装置は、送信するデータがある場合、前記分割した無線リソースの中から無線リソースを選択し、前記選択した無線リソースにデータを送信することを特徴としている。
【００１５】
（５）本発明の無線通信システムにおいて、前記移動局装置間で共通に送信可能な上りリンク無線リソースの分割に関する情報は、前記無線リソース割り当て情報で示される無線リソースを分割する数を示すことを特徴としている。
【００１６】
（６）また、本発明の基地局装置は、１つ以上の上りリンクのデータ送信の為の無線リソース割り当てがされていない移動局装置を含む複数の移動局装置との間で通信を行なう基地局装置であって、通信している複数の移動局装置に移動局装置間で共通であり、下りリンク無線伝搬路状態に対応した１つ以上の上りリンク無線リソースを割り当てて、前記無線リソース割り当てを示した情報を前記移動局装置に送信することを特徴としている。
【００１７】
（７）本発明の基地局装置は、１つ以上の上りリンクのデータ送信の為の無線リソース割り当てがされていない移動局装置を含む複数の移動局装置との間で通信を行なう基地局装置であって、移動局装置間で共通に送信可能な上りリンク無線リソースの分割に関する情報を前記移動局装置に通知し、更に移動局装置間で共通の１つ以上の上りリンク無線リソースを割り当てて、前記無線リソースの位置を示した情報を前記移動局装置に送信することを特徴としている。
【００１８】
（８）また、本発明の移動局装置は、基地局装置と通信する移動局装置であって、前記基地局装置から移動局装置間で共通の１つ以上の上りリンク無線リソースの位置を示した情報を受信した場合、前記基地局装置から移動局装置個別に割り当てられた上りリンクの無線リソースがなく、送信するデータがある場合、下りリンクの無線伝搬路状況に応じて、前記割り当てられた無線リソースの中から無線リソースを選択し、前記選択した無線リソースを用いてデータを送信することを特徴としている。
【００１９】
（９）本発明の移動局装置は、基地局装置と通信する移動局装置であって、前記基地局装置から移動局装置間で共通に送信可能な上りリンク無線リソースの分割に関する情報を受信し、更に前記基地局装置から移動局装置間で共通の１つ以上の上りリンク無線リソースの位置を示した情報を受信した場合、前記分割に関する情報をもとに前記無線リソースを分割することを特徴としている。
【００２０】
（１０）また、本発明の無線通信方法は、基地局装置と複数の移動局装置間で通信を行ない、前記移動局装置の１つ以上は個別に上りリンクのデータ送信の為の無線リソース割り当てがされていない移動局装置を含んでいる無線通信システムに適用される無線通信方法であって、前記基地局装置おいて、通信している複数の移動局装置に移動局装置間で共通であり、１つ以上の上りリンク無線リソースを割り当てるステップと、前記無線リソース割り当てを示した情報を前記移動局装置に送信するステップと、前記移動局装置おいて、前記無線リソースの位置を示した情報を受信するステップと、移動局装置個別に割り当てられた上りリンクの無線リソースがなく、送信するデータがある場合、下りリンクの無線伝搬路状況に応じて、前記割り当てられた無線リソースの中から無線リソースを選択するステップと、前記選択した無線リソースを用いてデータを送信するステップを少なくとも含むことを特徴としている。
【００２１】
（１１）また、本発明の無線通信方法は、基地局装置と複数の移動局装置との間で通信を行い、前記移動局装置の１つ以上は上りリンクのデータ送信の為の無線リソース割り当てがされていない移動局装置を含んでいる無線通信システムに適用される無線通信方法であって、前記基地局装置おいて、移動局装置間で共通に送信可能な上りリンク無線リソースの分割に関する情報を前記移動局装置に通知するステップと、更に移動局装置間で共通の１つ以上の上りリンク無線リソースを割り当てて、前記無線リソースの位置を示した情報を前記移動局装置に送信するステップと、前記移動局装置おいて、前記分割に関する情報を受信し、前記無線リソースの位置を示した情報を受信した場合、前記分割に関する情報をもとに前記無線リソースを分割するステップを少なくとも含むことを特徴としている。
【００２２】
（１２）また、本発明の集積回路は、基地局装置と複数の移動局装置間で通信を行ない、前記移動局装置の１つ以上は個別に上りリンクのデータ送信の為の無線リソース割り当てがされていない移動局装置を含んでいる無線通信システムに適用される集積回路であって、前記基地局装置おいて、通信している複数の移動局装置に移動局装置間で共通であり、下りリンク無線伝搬路状態に対応した１つ以上の上りリンク無線リソースを割り当てる手段と、前記無線リソース割り当てを示した情報を前記移動局装置に送信する手段を有することを特徴としている。
【００２３】
（１３）また、本発明の集積回路は、基地局装置と複数の移動局装置間で通信を行ない、前記移動局装置の１つ以上は個別に上りリンクのデータ送信の為の無線リソース割り当てがされていない移動局装置を含んでいる無線通信システムに適用される集積回路であって、前記移動局装置において、前記基地局装置から移動局装置間で共通の１つ以上の上りリンク無線リソース割り当てを示した情報を受信する手段と前記基地局装置から移動局装置個別に割り当てられた上りリンクの無線リソースがなく、送信するデータがある場合、下りリンクの無線伝搬路状態に応じて、前記割り当てられた無線リソースの中から無線リソースを選択する手段と、前記選択した無線リソースを用いてデータを送信する手段を有することを特徴としている。
【００２４】
（１４）また、本発明の集積回路は、基地局装置と複数の移動局装置との間で通信を行い、前記移動局装置の１つ以上は上りリンクのデータ送信の為の無線リソース割り当てがされていない移動局装置を含んでいる無線通信システムに適用される集積回路であって、前記基地局装置において、移動局装置間で共通に送信可能な上りリンク無線リソースの分割に関する情報を前記移動局装置に通知する手段と、更に移動局装置間で共通の１つ以上の上りリンク無線リソースを割り当てる手段と、前記無線リソース割り当てを示した情報を前記移動局装置に送信する手段を有することを特徴としている。
【００２５】
（１５）また、本発明の集積回路は、基地局装置と複数の移動局装置との間で通信を行い、前記移動局装置の１つ以上は上りリンクのデータ送信の為の無線リソース割り当てがされていない移動局装置を含んでいる無線通信システムに適用される集積回路であって、前記移動局装置において、移動局装置間で共通に送信可能な上りリンク無線リソースの分割に関する情報を受信する手段と、前記無線リソース割り当てを示した情報を受信する手段と、前記分割に関する情報をもとに前記割り当てられた無線リソースを分割する手段を有することを特徴としている。
【発明の効果】
【００２６】
本発明によれば、効率の良い衝突型データ送信を行なうことができる。
【図面の簡単な説明】
【００２７】
【図１】ＥＵＴＲＡにおけるチャネル構成を示す図である。
【図２】ＥＵＴＲＡにおける上りリンクの構成を示す図である。
【図３】Ａｄｖａｎｃｅｄ−ＥＵＴＲＡにおける上りリンクのコンポーネントキャリアについての説明図である。
【図４】Ａｄｖａｎｃｅｄ−ＥＵＴＲＡにおける下りリンクのコンポーネントキャリアについての説明図である。
【図５】本発明の実施形態に係る移動局装置の構成を示す図である。
【図６】本発明の実施形態に係る基地局装置の構成を示す図である。
【図７】本発明の実施形態に係る基地局装置の動作例を示すフローチャートである。
【図８】本発明の実施形態に係る移動局装置の動作例を示すフローチャートである。
【図９】本発明の実施形態に係る動作例を示す図である。
【図１０】本発明の実施形態に係る基地局装置の動作例を示すフローチャートである。
【図１１】本発明の実施形態に係る移動局装置の動作例を示すフローチャートである。
【図１２】本発明の実施形態に係る動作例を示す図である。
【図１３】本発明の実施形態に係る動作例を示す図である。
【図１４】本発明の実施形態に係る移動局装置の構成を示す図である。
【図１５】本発明の実施形態に係る基地局装置の構成を示す図である。
【図１６】本発明の実施形態に係る基地局装置の動作例を示すフローチャートである。
【図１７】本発明の実施形態に係る移動局装置の動作例を示すフローチャートである。
【図１８】本発明の実施形態に係る動作例を示す図である。
【図１９】本発明の実施形態に係る動作例を示す図である。
【発明を実施するための形態】
【００２８】
ＥＵＴＲＡの下りリンクとして、ＯＦＤＭ方式が採用されている。また、ＥＵＴＲＡの上りリンクとして、ＤＦＴ−ｓｐｒｅａｄ  ＯＦＤＭ方式のシングルキャリア通信方式が採用されている。
【００２９】
図１は、ＥＵＴＲＡにおけるチャネル構成を示す図である。ＥＵＴＲＡの下りリンクは、下りリンクパイロットチャネルＤＰｉＣＨ（Downlink Pilot Channel）、下りリンク同期チャネルＤＳＣＨ（Downlink Synchronization Channel）、下りリンク共用チャネルＰＤＳＣＨ（Physical Downlink Shared Channel）、下りリンク制御チャネルＰＤＣＣＨ（Physical Downlink Control Channel）、報知チャネルＰＢＣＨ（Physical Broadcast Channel）により構成されている。
【００３０】
下りリンク同期チャネルＤＳＣＨでは、移動局装置が下りリンクの同期を取るための信号が送信される。下りリンク制御チャネルＰＤＣＣＨでは、移動局装置への下りリンク共用チャネルＰＤＳＣＨや上りリンク共用チャネルＰＵＳＣＨの割り当て情報が送信される。下りリンク共用チャネルＰＤＳＣＨでは、移動局装置へのユーザーデータや制御データが送信される。
【００３１】
ＥＵＴＲＡの上りリンクは、上りリンクパイロットチャネルＵＰｉＣＨ（Uplink Pilot Channel）、ランダムアクセスチャネルＲＡＣＨ（Random Access Channel）、上りリンク共用チャネルＰＵＳＣＨ（Physical Uplink Shared Channel）、上りリンク制御チャネルＰＵＣＣＨ（Physical Uplink Control Channel）により構成されている。（非特許文献３）
【００３２】
図２は、ＥＵＴＲＡにおける上りリンクの構成を示す図である。図２において、１ブロックは、１２本のサブキャリアと７つのＯＦＤＭシンボルから構成される。そして、２つのブロックを使用して、１つのリソースブロックを構成する。１つのリソースブロックの時間領域をサブフレームと言い、１０個のサブフレームで１つのフレームを構成する。上りリンク共用チャネルＰＵＳＣＨ及び上りリンク制御チャネルＰＵＣＣＨの無線リソースの最小単位は、１リソースブロックである。上りリンク共用チャネルＰＵＳＣＨでは、移動局装置のユーザーデータ及び制御データが送信される。上りリンク制御チャネルＰＵＣＣＨでは、下りリンク共用チャネルＰＤＳＣＨで送信されたデータの応答や下りリンクの伝搬路情報（ＣＱＩ：Ｃｈａｎｎｅｌ  Ｑｕａｌｉｔｙ  Ｉｎｄｉｃａｔｏｒ）や上りリンクの無線リソース（上りリンク共用チャネルＰＵＳＣＨ）要求であるスケジューリングリクエスト（ＳＲ：Ｓｃｈｅｄｕｌｉｎｇ  Ｒｅｑｕｅｓｔ）が送信される。
【００３３】
図２において、１つのサブフレーム内に、１個のランダムアクセスチャネルＲＡＣＨが用意され、多数の移動局装置、例えば、移動局装置１−１〜１−３がランダムアクセスチャネルＲＡＣＨを使用して基地局装置３にアクセスを行う。ランダムアクセスチャネルＲＡＣＨの構成（周波数位置及び時間位置）は、基地局装置３から報知情報として、移動局装置１−１〜１−３に通知される。ランダムアクセスチャネルＲＡＣＨは、定期的に配置され、ランダムアクセスチャネルＲＡＣＨと、上りリンク共用チャネルＰＵＳＣＨの領域と上りリンク制御チャネルＰＵＣＣＨの領域とが図示のように分けられている。尚、ランダムアクセスチャネルＲＡＣＨは、６個分のリソースブロックを使用して構成される。
【００３４】
ＥＵＴＲＡでは、上りリンクの無線リソース（上りリンク共用チャネルＰＵＳＣＨ）要求は、上りリンク制御チャネルＰＵＣＣＨを用いる方法とランダムアクセスチャネルＲＡＣＨを用いる方法の２つの方法がある。上りリンク制御チャネルＰＵＣＣＨを用いる方法は、基地局装置が、通信中で上りリンク同期を維持している個々の移動局装置に対して、無線リソース要求目的に一定間隔の上りリンク制御チャネルＰＵＣＣＨを割り当て、移動局装置が無線リソースの割り当てがなく、送信するデータがある場合に割り当てられた上りリンク制御チャネルＰＵＣＣＨに無線リソース要求信号を送信する方法である。ランダムアクセスチャネルＲＡＣＨを用いる方法は、無線リソース要求用の上りリンク制御チャネルＰＵＣＣＨが割り当てられていない移動局装置や上りリンク同期を維持していない移動局装置などがランダムアクセスを行い、基地局装置に対して無線リソースの要求を行う方法である。
【００３５】
また、３ＧＰＰでは、ＥＵＴＲＡの更なる進化のＡｄｖａｎｃｅｄ−ＥＵＴＲＡの議論も始まっている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【００３６】
図３は、Ａｄｖａｎｃｅｄ−ＥＵＴＲＡにおける下りリンクのコンポーネントキャリアについての説明図である。図４は、Ａｄｖａｎｃｅｄ−ＥＵＴＲＡにおける上りリンクのコンポーネントキャリアについての説明図である。
【００３７】
Ａｄｖａｎｃｅｄ−ＥＵＴＲＡでは、ＥＵＴＲＡの移動局装置も収容できるようにＥＵＴＲＡの２０ＭＨｚの帯域を複数個束ねることで、１００ＭＨｚ帯域を実現し、大容量のデータ送信を考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献１）。
【００３８】
基地局装置は、複数あるコンポーネントキャリアの中から移動局装置の通信能力や通信条件にあった１つ以上のコンポーネントキャリアを割り当て、移動局装置は割り当てられたコンポーネントキャリアでデータの送受信を行なう。
【００３９】
また、Ａｄｖａｎｃｅｄ−ＥＵＴＲＡでは、ＥＵＴＲＡでのコネクション接続時やユーザーデータを送信するまでに費やされるなどに費やされる処理時間（遅延時間）を改善することが課題となっている。
【００４０】
非特許文献２では、上りリンク無線リソース要求信号（スケジューリングリクエスト）やランダムアクセスチャネルＲＡＣＨを使用した上りリンク無線リソース要求の場合において、上りリンクのユーザーデータ送信までにかなりの時間が費やされる為、基地局装置と上りリンク同期をしている移動局装置に対して、基地局装置が新たに衝突型（競合型）リソースブロックを割り当てて、下りリンク制御チャネルＰＤＣＣＨで割り当て情報を移動局装置に通知し、送信するデータのある移動局装置は割り当てられた衝突型リソースブロックにデータを送信することによってユーザーデータ送信に費やされる遅延時間を短縮する衝突型（競合型）上りリンクデータ送信の方法が提案されている。
【００４１】
（実施例１）
[構成説明]
図５は、本発明の実施形態に係る移動局装置の構成を示す図である。移動局装置１−１〜１−３は、無線部１０１、送信処理部１０３、受信処理部１０５、送信データ制御部１０７、制御データ抽出部１０９、制御部１１１、スケジューリング部１１３（移動局装置側スケジューリング部）から構成される。スケジューリング部１１３は、ＵＬスケジューリング部１１５、制御データ作成部１１７、制御データ解析部１１９、衝突型データスケジューリング部１２１から構成される。
【００４２】
ユーザーデータ及び制御データは送信データ制御部１０７に入力さる。送信データ制御部１０７は、制御部１１１の指示により、各データを各コンポーネントキャリアの各チャネルに配置し、送信処理部１０３に出力する。送信処理部１０３は、制御部１１１の指示により、送信データ制御部１０７から入力されたデータに符号化行い変調を施す。送信処理部１０３は、変調されたデータをＤＦＴ（Discrete Fourier Transform（離散フーリエ変換））−ＩＦＦＴ（Inverse Fast Fourier Transform（逆高速フーリエ変換））処理し、処理後、ＣＰ（Cyclic prefix）を挿入する。また、送信処理部１０３は、スケジューリング部１１３から渡される送信タイミング情報からデータの送信タイミングを調整して無線部１０１に出力する。無線部１０１は、入力されたデータを無線周波数にアップコンバートし、送受信アンテナからデータを送信する。
【００４３】
無線部１０１は、送受信アンテナより受信した無線信号をダウンコンバートし、受信処理信部１０５に出力する。受信処理部１０５は、制御部１１１からの指示により無線部１０１からの信号をＦＦＴ（Fast Fourier Transform（高速フーリエ変換））処理、復号化、復調処理等を行ない、復調したデータを制御データ抽出部１０９に出力する。また、下りリンクの無線伝搬路特性を測定して、スケジューリング部１１３に測定結果を出力する。制御データ抽出部１０９は、各コンポーネントキャリアの下りリンク制御チャネルＰＤＣＣＨに配置されている移動局装置識別情報や移動局装置間で共通識別情報（例えば、衝突型（競合型）無線リソース割り当てを示した識別情報や報知チャネルＰＢＣＨを示した識別情報など）を確認し、自移動局装置宛のデータかどうか判別し、自移動局装置宛のデータの場合、受信処理部１０５で処理された下りリンク共用チャネルＰＤＳＣＨのデータを制御データとユーザーデータに分ける。そして、制御データ抽出部１０９は、制御データをスケジューリング部１１３に渡し、ユーザーデータを上位層に渡す。また、制御データ抽出部１０９は、下りリンク制御チャネルＰＤＣＣＨに含まれる上りリンクのスケジューリング情報（移動局装置個別のスケジューリング情報及び衝突型（競合型）データ送信のスケジューリング情報）をスケジューリング部１１３に渡す。その他、制御データ抽出部１０９は、受信したデータに対する受信結果をスケジューリング部１１３に渡す。制御部１１１は、スケジューリング部１１３からのスケジューリング結果に基づいて、無線部１０１、送信処理部１０３、受信処理部１０５、データ制御部１０７および制御データ抽出部１０９の制御を行う。
【００４４】
スケジューリング部１１３は、ＵＬスケジューリング部１１５、制御データ作成部１１７、制御データ解析部１１９、衝突型データスケジューリング部１２１から構成される。制御データ作成部１１７は、制御データを作成する。制御データ作成部１１７は、制御データ抽出部１０９からのデータの受信結果から下りリンクのデータの応答（ＡＣＫ／ＮＡＣＫ）や下りリンク無線伝搬路情報（ＣＱＩ）などの制御データを作成する。制御データ解析部１１９は、制御データ抽出部１０９からの制御データを解析し、上りリンクデータのスケジューリング情報をＵＬスケジューリング部１１５や衝突型データスケジューリング部１２１に出力する。また、上りリンクの送信タイミング情報を送信処理部１０３に出力する。
【００４５】
ＵＬスケジューリング部１１５は、上位層からの指示や上りリンクデータのスケジューリング情報をもとに上りリンクのスケジューリングを行い、スケジューリング結果を制御部１１１と衝突型データスケジューリング部に出力する。衝突型データスケジューリング部１２１は、ＵＬスケジューリング部１１５のスケジューリング結果と衝突型データのスケジューリング情報と下りリンクの無線伝搬路特性の測定結果から衝突型データ送信の必要性を判定し、送信する必要がある場合に衝突型データ送信のスケジューリングを行う。そして、スケジューリング結果を制御部１１１に出力する。
【００４６】
図６は、本発明の実施形態に係る基地局装置３の構成図を示す。基地局装置３は、データ制御部２０１、送信処理部２０３、制御部２０５、受信処理部２０７、制御データ抽出部２０９、無線部２１１、スケジューリング部２１３（基地局装置側スケジューリング部）から構成される。スケジューリング部２１３は、ＤＬスケジューリング部２１５、ＵＬスケジューリング部２１７、制御データ作成部２１９から構成される。
【００４７】
データ制御部２０１は、ユーザーデータと制御データを制御部２０５からの指示により制御データを各コンポーネントキャリアの下りリンク制御チャネルＰＤＣＣＨ、下りリンク同期チャネルＤＳＣＨ、下りリンクパイロットチャネルＤＰｉＣＨ、報知チャネルＰＢＣＨ、下りリンク共用チャネルＰＤＳＣＨにマッピングし、各移動局装置１−１〜１−３に対する送信データを下りリンク共用チャネルＰＤＳＣＨにマッピングする。
【００４８】
送信処理部２０３は、制御部２０５からの指示により、データ制御部２０１からの入力データに対して、符号化、データ変調、入力信号の直列／並列変換し、ＩＦＦＴ変換、ＣＰ挿入、フィルタリングなどＯＦＤＭ信号処理を行ない、ＯＦＤＭ信号を生成する。無線部２１３は、制御部２０５からの指示によりＯＦＤＭ変調されたデータを無線周波数にアップコンバートして、移動局装置１−１に送信する。また、無線部２１１は、移動局装置１−１からの上りリンクのデータを受信し、ベースバンド信号にダウンコンバートして、受信データを受信処理部２０７に出力する。受信処理部２０７は、制御部２０５からの上りリンクのスケジューリング情報から移動局装置１−１で行なった送信処理を考慮して復調処理を行ない、データの復調をする。また、受信処理部２０７は、上りリンクパイロットチャネルＵＰｉＣＨから無線伝搬路特性を測定し、測定結果をスケジューリング部２１３に出力する。尚、上りリンクの通信方式は、ＤＦＴ−ｓｐｒｅａｄ  ＯＦＤＭ等のようなシングルキャリア方式を想定しているが、ＯＦＤＭ方式のようなマルチキャリア方式でもかまわない。
【００４９】
制御データ抽出部２０９では、制御部２０５からの指示により、受信データの正誤を確認し、確認結果をスケジューリング部２０５に通知する。受信データが正しい場合、受信データをユーザーデータと制御データに分離する。制御部２０５は、スケジューリング部２１３からのスケジューリング結果に基づいて、データ制御部２０１、送信処理部２０３、受信処理部２０７、制御データ抽出部２０９、および無線部２１１の制御を行う。
【００５０】
スケジューリング部２１３は、下りリンクのスケジューリングを行なうＤＬスケジューリング部２１５と上りリンクのスケジューリングを行なうＵＬスケジューリング部２１７、制御データ作成部２１９から構成される。ＤＬスケジューリング部２１５は移動局装置１−１から通知される下りリンクの無線伝搬路情報や上位層からの通知される各ユーザーのデータ情報や制御データ作成部２１９で作成される制御データから下りリンクの各チャネルにユーザーデータおよび制御データをマッピングする為のスケジューリングを行ない、スケジューリング結果を制御データ作成部２１９と制御部２０５に出力する。
【００５１】
ＵＬスケジューリング部２１７は、受信処理部２０７からの上りリンクの無線伝搬路推定結果と各移動局装置からの無線リソース割り当て要求から上りリンク共用チャネルＰＵＳＣＨにユーザーデータのスケジューリングを行なう。そして、ＵＬスケジューリング部２１７は、各移動局装置へのスケジューリングが終了し、まだ、上りリンク共用チャネルＰＵＳＣＨに割り当てられる無線リソースが残っている場合は、衝突型（競合型）データ送信のスケジューリングを行い、スケジューリング結果を制御データ作成部２１９と制御部２０５に出力する。
【００５２】
制御データ作成部２１９は、ＤＬスケジューリング部２１５およびＵＬスケジューリング部２１７からのスケジューリング結果をもとに下りリンク制御チャネルＰＤＣＣＨに配置される制御データや下りリンク共用チャネルＰＤＳＣＨに配置される制御データを作成する。スケジューリング情報を含んだ制御メッセージ、上りリンクデータの応答（ＡＣＫ／ＮＡＣＫ）、報知チャネルＰＢＣＨや下りリンク共用チャネルＰＤＳＣＨで送信する衝突型データ送信に関する情報などの制御データを作成する。そして、作成した制御データをデータ制御部２０１に出力する。
【００５３】
[動作説明]
図１で説明したような無線通信システムを想定する。そして、図１が示すように、基地局装置３と、複数の移動局装置１−１、１−２、１−３とが通信を行なう。また、図３、図４で説明した基地局装置と移動局装置が１つ以上のコンポーネントキャリアを使用して通信を行なうような無線通信システムも想定している。
【００５４】
基地局装置から遠くに位置する移動局装置は、無線伝搬路の影響により基地局装置の近くに位置する移動局装置に比べ１つのリソースブロックで送信可能なデータ容量は少ない。基地局装置は、移動局装置の位置がわからないため、衝突型（競合型）無線リソースを割り当てる場合、遠い位置にいる移動局装置に合わせた無線リソース容量に設定しなければばらなく、無線リソースの利用効率が悪い。
【００５５】
基地局装置は、基地局装置から近い位置にいる移動局装置に対しての衝突型無線リソースと基地局装置から遠い位置にいる移動局装置に対しての衝突型無線リソースを割り当てる。移動局装置は、基地局装置から近い位置にいる移動局装置に対しての衝突型無線リソースと基地局装置から遠い位置にいる移動局装置に対しての衝突型無線リソースの両方を割り当てられた場合、自移動局装置の位置を考慮して、どちらか一方の衝突型無線リソースを選択し、選択した衝突型無線リソースを使用してデータを送信するようにする。このようにすることで、無線リソースを有効に使用できる。尚、移動局装置は、基地局装置からの位置を下りリンクの無線伝搬路状態（下りリンクのパスロス（Ｐａｔｈｌｏｓｓ））または下りリンクパイロットチャネル受信電力（Reference symbol received power :RSRP）から計算するか、ＧＰＳ（Ｇｌｏｂａｌ  Ｐｏｓｉｔｉｏｎｉｎｇ  Ｓｙｓｔｅｍ）などを使用して計算する。
【００５６】
本実施例では、基地局装置は、基地局装置から近い位置にいる移動局装置に対しての衝突型無線リソースの割り当てと基地局装置から遠い位置にいる移動局装置に対しての衝突型無線リソースの割り当てを行い、それぞれの割り当て情報を作成して、それぞれの割り当て情報に異なる衝突型（競合型）無線リソース割り当てを示した識別情報を使用して移動局装置に送信し、移動局装置は、それぞれの識別情報を受信して、下りリンクの無線伝搬路状態により自移動局装置に適した衝突型無線リソースの選択を行い、衝突型データ送信を行なう。
【００５７】
基地局装置３と移動局装置１−１の動作を説明する。
図７、図８は、それぞれ、本発明の実施形態に係る基地局装置３と移動局装置１−１の衝突型データ送信の動作例を示すフローチャートである。
【００５８】
基地局装置３は、移動局装置１−１と１つ以上のコンポーネントキャリアを用いて、通信している。また、移動局装置１−１は、基地局装置３と上りリンク同期状態である。尚、上りリンク同期状態とは、移動局装置１−１が基地局装置３からの上りリンク送信タイミング情報を設定し、送信タイミング情報が有効な期間である状態を言う。また、基地局装置３は、サブフレーム単位で上りリンクの無線リソースのスケジューリングを行い、下りリンク制御チャネルＰＤＣＣＨでスケジューリング情報を通知している。
【００５９】
基地局装置３は、移動局装置個々に上りリンク共用チャネルＰＵＳＣＨの無線リソースを割り当てる。基地局装置３は、割り当て後、まだ、割り当てられる上りリンク共用チャネルＰＵＳＣＨの無線リソースが残っているかどうか調べる（ステップＳ１０１）。まだ、割り当てられる上りリンク共用チャネルＰＵＳＣＨの無線リソースが残っている場合、基地局装置３は、衝突型（競合型）無線リソースの割り当て処理（無線リソースの位置、無線リソース数、ＭＣＳ（Ｍｏｄｕｌａｔｉｏｎ  ａｎｄ  Ｃｏｄｉｎｇ  Ｓｃｈｅｍｅ：変調符号化方式）などの設定）を行なう（ステップＳ１０２）。複数の無線リソースが残っている場合、基地局装置３は、基地局装置３から近い位置にいる移動局装置に対する無線リソース割り当て（データ容量が大きい割り当て）と基地局装置３から遠い位置にいる移動局装置に対する無線リソース割り当て（データ容量が小さい割り当て）を行なう。無線リソースが残っていない場合、基地局装置３は、そのサブフレームの無線リソース割り当てのスケジューリングを終了する。
【００６０】
基地局装置３は、衝突型無線リソース割り当てを行なった結果から、データ容量が大きい衝突型無線リソース割り当てを示した識別情報とデータ容量が大きい衝突型無線リソース割り当て情報を含んだ制御データ及びデータ容量が小さい衝突型無線リソース割り当てを示した識別情報とデータ容量が小さい衝突型無線リソース割り当て情報を含んだ制御データの両方か、どちらか一方を作成する（ステップＳ１０３）。
基地局装置３は、下りリンク制御チャネルＰＤＣＣＨで作成した制御データを送信する（ステップＳ１０４）。そして、基地局装置３は、そのサブフレームの無線リソース割り当てのスケジューリングを終了する。
【００６１】
移動局装置１−１は、衝突型（競合型）無線リソース割り当てを示した識別情報を検出するために下りリンク制御チャネルＰＤＣＣＨをモニタリングする。移動局装置１−１は、下りリンク制御チャネルＰＤＣＣＨでデータ容量が大きい衝突型無線リソース割り当てを示した識別情報とデータ容量が大きい衝突型無線リソース割り当て情報を含んだ制御データ及びデータ容量が小さい衝突型無線リソース割り当てを示した識別情報とデータ容量が小さい衝突型無線リソース割り当て情報を含んだ制御データの両方、または、どちらか一方の衝突型無線リソース割り当てを示した識別情報を検出し、割り当て情報を取得した場合（ステップＳ２０１）、衝突型データ送信が必要かどうか確認する（ステップＳ２０２）。移動局装置１−１は、送信バッファに送信データがあり、自移動局装置に上りリンク無線リソース割り当てがなく、衝突型データ送信が必要な場合、下りリンクの無線伝搬路状態を確認する（ステップＳ２０３）。下りリンクの無線伝搬路状態が良い場合、移動局装置１−１は、割り当て情報が、データ容量が大きい衝突型無線リソース割り当てを示した情報か確認し（ステップＳ２０４）、割り当て情報が、データ容量が大きい衝突型無線リソース割り当てを示した情報である場合は、割り当て情報で示されたデータサイズ、変調・符号化方式で衝突型データを作成し（ステップＳ２０５）、割り当てられた上りリンク共用チャネルＰＵＳＣＨの無線リソース位置で作成したデータを送信する（ステップＳ２０６）。尚、データサイズ、変調・符号化方式を、基地局装置３と移動局装置１−１との間で予め決めておいても良い。この様にすることで、割り当て情報に含める情報が少なくできる。移動局装置１−１は、データ送信後、基地局装置３からの衝突型データ送信応答を待ち、ＡＣＫ（Ａｃｋｎｏｗｌｅｄｇｅｍｅｎｔ：肯定応答）を受信した場合、送信したデータのバッファをクリアする。ＮＡＣＫ（Ｎｅｇａｔｉｖｅ  Ａｃｋｎｏｗｌｅｄｇｅｍｅｎｔ：否定応答）を受信した場合、送信したデータをバッファに残しておく（Ｓ２０７）。
【００６２】
下りリンクの無線伝搬路状態が悪い場合、割り当て情報が、データ容量が小さい衝突型無線リソース割り当てを示した情報か確認し（ステップＳ２０８）、割り当て情報が、データ容量が小さい衝突型無線リソース割り当てを示した情報である場合は、割り当て情報で示されたデータサイズ、変調・符号化方式で衝突型データを作成し（ステップＳ２０９）、割り当てられた上りリンク共用チャネルＰＵＳＣＨの無線リソース位置で作成したデータを送信する（ステップＳ２１０）。データ送信後、基地局装置３からの衝突型データ送信に対する応答を待ち、ＡＣＫ（肯定応答）を受信した場合、送信したデータのバッファをクリアする。ＮＡＣＫ（否定応答）を受信した場合、送信したデータはバッファに残しておく（ステップＳ２１１）。
【００６３】
移動局装置１−１は、送信バッファに送信データがない、または、移動局装置個別に上りリンク無線リソース割り当てがあり、衝突型データ送信の必要がない場合、及び、下りリンクの無線伝搬路状態と衝突型無線リソースの割り当て情報が適さない場合、衝突型データ送信は行なわない。
【００６４】
尚、移動局装置１−１は、予め無線伝搬路状態を測定しておき、その結果からどちら一方の識別情報に対してだけ下りリンク制御チャネルＰＤＣＣＨをモニタリングするようにしても良い。また、上記説明では、データ容量が大きい衝突型無線リソース割り当てとデータ容量が小さい衝突型無線リソース割り当ての２つのグループ例を示したが、３つのグループ以上あってもよい。その場合は、グループの数と同じ識別情報数を持つ。
【００６５】
また、下りリンクの伝搬路の状況が良いとは、下りリンクのパスロスが小さい、または下りリンクパイロットチャネルＤＰｉＣＨの受信電力が大きい、または下りリンクパイロットチャネルＤＰｉＣＨの受信品質が良い状態などのことを指す。また、下りリンク伝搬路の状況が悪いとは、下りリンクのパスロスが大きい、または下りリンクパイロットチャネルＤＰｉＣＨの受信電力が小さい、または下りリンクパイロットチャネルＤＰｉＣＨの受信品質が悪い状態などのことを指す。また、下りリンクの伝搬路の状況が良いか悪いかを判断するための閾値は、基地局装置３と移動局装置１−１の間で予め定めておいてもよいし、基地局装置３が閾値を報知してもよい。
【００６６】
具体的な例を図９示す。
基地局装置３は、移動局装置個々に上りリンク共用チャネルＰＵＳＣＨの無線リソースを割り当てる。基地局装置３は、割り当て後、まだ、割り当てられる上りリンク共用チャネルＰＵＳＣＨの無線リソースが残っているかどうか調べる。まだ、割り当てられる上りリンク共用チャネルＰＵＳＣＨの無線リソースが残っている場合、基地局装置３は、図９の様にデータ容量が小さい衝突型無線リソースの割り当てとデータ容量が大きい衝突型無線リソースの割り当てを行なう。
【００６７】
基地局装置３は、衝突型無線リソース割り当てを行なった結果から、データ容量が小さい衝突型無線リソース割り当てを示した識別情報Ｘと衝突型無線リソースの開始位置３と周波数領域で連続する無線リソース数３個と変調符号化方式Ａを含んだ割り当て情報とデータ容量が小さい衝突型無線リソース割り当てを示した識別情報Ｙと衝突型無線リソースの開始位置９と周波数領域で連続する無線リソース数３個と変調符号化方式Ｂを含んだ割り当て情報を作成する。そして、基地局装置３は、下りリンク制御チャネルＰＤＣＣＨで作成した割り当て情報を送信する。
【００６８】
移動局装置１−１は、衝突型無線リソース割り当てを示した識別情報Ｘ及びＹを検出するために下りリンク制御チャネルＰＤＣＣＨをモニタリングする。移動局装置１−１は、下りリンク制御チャネルＰＤＣＣＨで衝突型無線リソース割り当てを示した識別情報Ｘ及びＹの両方を検出し、割り当て情報を取得する。移動局装置１−１は、衝突型データ送信が必要かどうか確認し、衝突型データ送信が必要な場合、下りリンクの無線伝搬路状態を確認する。尚、ここでは、移動局装置１−１の下りリンク無線伝搬路状態は悪い状態とする。識別情報Ｘを検出していて、データ容量小の衝突型無線リソース割り当てがあることから、識別情報Ｘで示された割り当て情報の無線リソース数３と変調符号化方式Ａからデータサイズを算出し、算出したデータサイズ、変調・符号化方式をもとにデータを作成し、割り当てられた上りリンク共用チャネルＰＵＳＣＨの無線リソース位置（リソースブロック３、リソースブロック４、リソースブロック５）で作成したデータを送信する。
【００６９】
移動局装置１−１は、データ送信後、基地局装置３からの衝突型データ送信に対する応答を待ち、ＡＣＫ（Ａｃｋｎｏｗｌｅｄｇｅｍｅｎｔ：肯定応答）を受信した場合、送信したデータのバッファをクリアする。ＮＡＣＫ（Ｎｅｇａｔｉｖｅ  Ａｃｋｎｏｗｌｅｄｇｅｍｅｎｔ：否定応答）を受信した場合、送信したデータをバッファに残しておく。
【００７０】
このようにすることで、基地局装置と移動局装置の位置を考慮したデータ送信が可能になり、無線リソースを有効に使用することができる。基地局装置から遠くに位置する移動局装置は、データの誤り率を適切な値に維持しつつ衝突型上りリンクデータ送信を実行することができ、基地局装置から近くに位置する移動局装置はデータの誤り率を適切な値に維持しつつ、多くのデータを衝突型上りリンクデータ送信で送信することができ、無線リソースの高い利用効率を実現することができる。
【００７１】
（実施例２）
[動作説明]
本実施例では、基地局装置は、基地局装置から近い位置にいる移動局装置に対しての衝突型（競合型）無線リソースの割り当て情報と基地局装置から遠い位置にいる移動局装置に対しての衝突型無線リソースの割り当て情報のどちらか一方の割り当て情報を作成して、１つの識別情報を使用して割り当て情報を移動局装置に送信し、移動局装置は、衝突型無線リソースの割り当てを示した識別情報を受信して、割り当て情報と自移動局装置が測定した下りリンク無線伝搬路状態から衝突型データ送信を行なうかどうか判断し、割り当てられた衝突型無線リソースでデータを送信する。
【００７２】
基地局装置３と移動局装置１−１の動作を説明する。
図１０、図１１は、それぞれ、本発明の実施形態に係る基地局装置３と移動局装置１−１の衝突型データ送信の動作例を示すフローチャートである。
基地局装置３は、移動局装置１−１と１つ以上のコンポーネントキャリアを用いて、通信している。また、移動局装置１−１は、基地局装置３と上りリンク同期状態である。尚、上りリンク同期状態とは、移動局装置１−１が基地局装置３から上りリンク送信タイミング補正情報を受信し、送信タイミング補正情報が有効な期間である状態を言う。また、基地局装置３は、サブフレーム単位で上りリンクの無線リソースのスケジューリングを行い、下りリンク制御チャネルＰＤＣＣＨでスケジューリング情報を通知している。
【００７３】
基地局装置３は、移動局装置個々に上りリンク共用チャネルＰＵＳＣＨの無線リソースを割り当てる。基地局装置３は、割り当て後、まだ、割り当てられる上りリンク共用チャネルＰＵＳＣＨの無線リソースが残っているかどうか調べる（ステップＳ３０１）。まだ、割り当てられる上りリンク共用チャネルＰＵＳＣＨの無線リソースが残っている場合、基地局装置３は、衝突型（競合型）無線リソースの割り当て（無線リソースの位置、無線リソース数、ＭＣＳ（Ｍｏｄｕｌａｔｉｏｎ  ａｎｄ  Ｃｏｄｉｎｇ  Ｓｃｈｅｍｅ：変調符号化方式）など）を行なう（ステップＳ３０２）。尚、基地局装置３は、サブフレーム単位で基地局装置３から近い位置にいる移動局装置の無線リソース割り当て（データ容量が大きい割り当て）か、基地局装置３から遠い位置にいる移動局装置の無線リソース割り当て（データ容量が小さい割り当て）のどちらかの割り当てを行なう。無線リソースが残っていない場合、基地局装置３は、そのサブフレームの無線リソース割り当てのスケジューリングを終了する。
【００７４】
基地局装置３は、衝突型無線リソース割り当てを行なった結果から、衝突型無線リソース割り当てを示した識別情報と衝突型無線リソース割り当て情報を含んだ制御データを作成する（ステップＳ３０３）。基地局装置３は、下りリンク制御チャネルＰＤＣＣＨで作成した制御データを送信する（ステップＳ３０４）。そして、基地局装置３は、そのサブフレームの無線リソース割り当てのスケジューリングを終了する。
【００７５】
移動局装置１−１は、衝突型（競合型）無線リソース割り当てを示した識別情報を検出するために下りリンク制御チャネルＰＤＣＣＨをモニタリングする。移動局装置１−１は、下りリンク制御チャネルＰＤＣＣＨで衝突型無線リソース割り当てを示した識別情報を検出し、割り当て情報を取得した場合（ステップＳ４０１）、移動局装置１−１は、送信バッファに送信データがあり、移動局装置個別に上りリンク無線リソース割り当てがなく、衝突型データ送信が必要かどうか確認する（ステップＳ４０２）。移動局装置１−１は、衝突型データ送信が必要かどうか確認し、衝突型データ送信が必要な場合、下りリンクの無線伝搬路状態を確認する（ステップＳ４０３）。下りリンクの無線伝搬路状態が良い場合、移動局装置１−１は、割り当て情報の変調符号化方式から、データ容量が大きい衝突型無線リソース割り当てを示した情報か判断する（ステップＳ４０４）。割り当て情報が、データ容量が大きい衝突型無線リソース割り当てを示した情報である場合は、移動局装置１−１は、割り当て情報で示された変調・符号化方式で衝突型データを作成し（ステップ４０５）、割り当てられた上りリンク共用チャネルＰＵＳＣＨの無線リソース位置で作成したデータを送信する（ステップＳ４０６）。移動局装置１−１は、データ送信後、基地局装置３からの衝突型データ送信応答を待ち、ＡＣＫ（Ａｃｋｎｏｗｌｅｄｇｅｍｅｎｔ：肯定応答）を受信した場合、送信したデータのバッファをクリアする。ＮＡＣＫ（Ｎｅｇａｔｉｖｅ  Ａｃｋｎｏｗｌｅｄｇｅｍｅｎｔ：否定応答）を受信した場合、送信したデータをバッファに残しておく（Ｓ４０７）。
【００７６】
下りリンクの無線伝搬路状態が悪い場合、移動局装置１−１は、割り当て情報の変調符号化方式から、データ容量が小さい衝突型無線リソース割り当てを示した情報か判断する（ステップＳ４０８）。割り当て情報が、データ容量が小さい衝突型無線リソース割り当てを示した情報である場合は、移動局装置１−１は、割り当て情報で示された変調・符号化方式で衝突型データを作成し（ステップＳ４０９）、割り当てられた上りリンク共用チャネルＰＵＳＣＨの無線リソース位置で作成したデータを送信する（ステップＳ４１０）。データ送信後、基地局装置３からの衝突型データ送信に対する応答を待ち、ＡＣＫ（肯定応答）を受信した場合、送信したデータのバッファをクリアする。ＮＡＣＫ（否定応答）を受信した場合、送信したデータはバッファに残しておく（ステップＳ６１１）。
【００７７】
移動局装置１−１は、送信バッファに送信データがない、または、移動局装置個別に上りリンク無線リソース割り当てがあり、衝突型データ送信の必要がない場合、及び、下りリンクの無線伝搬路状態と衝突型無線リソースの割り当て情報が適さない場合、データ送信は行なわない。
【００７８】
尚、上記説明では、データ容量が大きい衝突型無線リソース割り当てとデータ容量が小さい衝突型無線リソース割り当ての２つのグループ例を示したが、３つ以上あってもよい。
【００７９】
具体的な例を図１２示す。
基地局装置３は、移動局装置個々に上りリンク共用チャネルＰＵＳＣＨの無線リソースを割り当てる。基地局装置３は割り当て後、まだ、割り当てられる上りリンク共用チャネルＰＵＳＣＨの無線リソースが残っているかどうか調べる。まだ、割り当てられる上りリンク共用チャネルＰＵＳＣＨの無線リソースが残っている場合、基地局装置３は図１２のようにデータ容量が小さい衝突型無線リソースの割り当てを行なう。
【００８０】
基地局装置３は、衝突型無線リソース割り当てを行なった結果から、衝突型無線リソース割り当てを示した識別情報Ｚと衝突型無線リソースの開始位置３と周波数領域で連続する無線リソース数３個と変調符号化方式Ｃを含んだ割り当て情報を含んだ割り当て情報を作成する。そして、基地局装置３は、下りリンク制御チャネルＰＤＣＣＨで作成した割り当て情報を送信する。
【００８１】
移動局装置１−１は、衝突型無線リソース割り当てを示した識別情報Ｚを検出するために下りリンク制御チャネルＰＤＣＣＨをモニタリングする。移動局装置１−１は、下りリンク制御チャネルＰＤＣＣＨで衝突型無線リソース割り当てを示した識別情報Ｚを検出し、割り当て情報を取得する。移動局装置１−１は、衝突型データ送信が必要かどうか確認し、衝突型データ送信が必要な場合、下りリンクの無線伝搬路状態を確認する。尚、ここでは、下りリンク無線伝搬路状態は悪い状態とする。移動局装置１−１は、図１３から指定された変調符号化方式の対応を確認し、変調符号化方式Ｃは、無線伝搬路状態の悪い状態時の送信データであるので、衝突型データ送信可能であると判断する。つまり、データ容量小の衝突型無線リソース割り当てがあることから、割り当て情報の無線リソース数３と変調符号化方式Ｃからデータサイズを算出し、算出したデータサイズ、変調・符号化方式を元にデータを作成し、割り当てられた上りリンク共用チャネルＰＵＳＣＨの無線リソース位置（リソースブロック３、リソースブロック４、リソースブロック５）で作成したデータを送信する。尚、図１３において、変調符号化方式が上にあるもののほうが、符号化率が高い、または変調多値数が多い。つまり、変調符号化方式Ａ、Ｂ、Ｃ、Ｄの順番に符号化率が低くなっていく。また、変調符号化方式Ａ、Ｂ、Ｃ、Ｄの順番に変調多値数が少なくなっていく。また、データ容量が大きい衝突型無線リソース割り当てを示した情報か、データ容量が小さい無線リソース割り当てを示した情報かを、移動局装置１−１が割り当て情報の変調符号化方式から判断する際の閾値は、基地局装置３と移動局装置１−１の間で予め定めておいてもよいし、基地局装置３が閾値を報知してもよい。
【００８２】
移動局装置１−１は、データ送信後、基地局装置３からの衝突型データ送信に対する応答を待ち、ＡＣＫ（Ａｃｋｎｏｗｌｅｄｇｅｍｅｎｔ：肯定応答）を受信した場合、送信したデータのバッファをクリアする。ＮＡＣＫ（Ｎｅｇａｔｉｖｅ  Ａｃｋｎｏｗｌｅｄｇｅｍｅｎｔ：否定応答）を受信した場合、送信したデータをバッファに残しておく。
【００８３】
このようにすることで、基地局装置と移動局装置の位置を考慮したデータ送信が可能になり、無線リソースを有効に使用することができる。基地局装置から遠くに位置する移動局装置は、データの誤り率を適切な値に維持しつつ衝突型上りリンクデータ送信を実行することができ、基地局装置から近くに位置する移動局装置はデータの誤り率を適切な値に維持しつつ、多くのデータを衝突型上りリンクデータ送信で送信することができ、無線リソースの高い利用効率を実現することができる。
【００８４】
（実施例３）
[構成説明]
図１４は、本発明の実施形態に係る移動局装置の構成を示す図である。移動局装置１−１〜１−３は、無線部１０１、送信処理部１０３、受信処理部１０５、送信データ制御部１０７、制御データ抽出部１０９、制御部１１１、スケジューリング部１１３（移動局装置側スケジューリング部）から構成される。スケジューリング部１２３は、ＵＬスケジューリング部１２５、制御データ作成部１２７、制御データ解析部１２９、衝突型データスケジューリング部１３１から構成される。
【００８５】
無線部１０１、送信処理部１０３、受信処理部１０５、送信データ制御部１０７、制御データ抽出部１０９、制御部１１１の動作は、図５で示した移動局装置の動作と同じである。
【００８６】
スケジューリング部１２３は、ＵＬスケジューリング部１２５、制御データ作成部１２７、制御データ解析部１２９、衝突型データスケジューリング部１３１から構成される。制御データ作成部１２７は、制御データを作成する。制御データ抽出部１０９が受信した下りリンクのデータの応答（ＡＣＫ／ＮＡＣＫ）や下りリンク無線伝搬路情報（ＣＱＩ）などの制御データを作成する。制御データ解析部１２９は、制御データ抽出部１０９からの制御データを解析し、上りリンクデータのスケジューリング情報をＵＬスケジューリング部１２５や衝突型データスケジューリング部１３１に出力する。また、基地局装置３から報知される衝突型データ送信に関する情報を衝突型データスケジューリング部１３１に出力する。
【００８７】
ＵＬスケジューリング部１２５は、上位層からの指示や上りリンクデータのスケジューリング情報をもとに上りリンクのスケジューリングを行い、スケジューリング結果を制御部１１１と衝突型データスケジューリング部１３１に出力する。衝突型データスケジューリング部１３１は、ＵＬスケジューリング部１２５のスケジューリング結果と基地局装置３からの衝突型データのスケジューリング情報と下りリンクの無線伝搬路特性の測定結果から衝突型データ送信を行なうかどうか判定し、送信する必要がある場合に衝突型データ送信のスケジューリングを行う。そして、スケジューリング結果を制御部１１１に出力する。
【００８８】
図１５は、本発明の実施形態に係る基地局装置３の構成図を示す。基地局は、データ制御部２０１、送信処理部２０３、制御部２０５、受信処理部２０７、制御データ抽出部２０９、無線部２１１、スケジューリング部２１３（基地局装置側スケジューリング部）から構成される。スケジューリング部２２１は、ＤＬスケジューリング部２２３、ＵＬスケジューリング部２２５、制御データ作成部２２７から構成される。
【００８９】
データ制御部２０１、送信処理部２０３、制御部２０５、受信処理部２０７、制御データ抽出部２０９、無線部２１１の動作は、図６で示した基地局装置の動作と同じである。
【００９０】
スケジューリング部２１３は、下りリンクのスケジューリングを行なうＤＬスケジューリング部２１５と上りリンクのスケジューリングを行なうＵＬスケジューリング部２１７、制御データ作成部２１９から構成される。ＤＬスケジューリング部２１５は、移動局装置１−１から通知される下りリンクの無線伝搬路情報や上位層からの通知される各ユーザーのデータ情報や制御データ作成部２１９で作成される制御データから下りリンクの各チャネルにユーザーデータおよび制御データをマッピングする為のスケジューリングを行ない、スケジューリング結果を制御データ作成部２１９と制御部２０５に出力する。
【００９１】
ＵＬスケジューリング部２１７は、受信処理部２０７からの上りリンクの無線伝搬路推定結果と各移動局装置からの無線リソース割り当て要求から上りリンク共用チャネルＰＵＳＣＨにユーザーデータのスケジューリングを行なう。そして、ＵＬスケジューリング部２１７は、各移動局装置へのスケジューリングが終了し、まだ、上りリンクに割り当てられる無線リソースが残っている場合、衝突型データ送信のスケジューリングを行い、スケジューリング結果を制御データ作成部２１９と制御部２０５に出力する。
【００９２】
制御データ作成部２１９は、ＤＬスケジューリング部２１５およびＵＬスケジューリング部２１７からのスケジューリング結果をもとに下りリンク制御チャネルＰＤＣＣＨに配置される制御データや下りリンクＰＤＳＣＨに配置される制御データを作成する。制御データ作成部２１９は、スケジューリング情報を含んだ制御メッセージ、上りリンクデータの応答（ＡＣＫ／ＮＡＣＫ）、報知チャネルＰＢＣＨや下りリンク共用チャネルＰＤＳＣＨで送信する衝突型データ送信に関する情報などの制御データを作成する。そして、制御データ作成部２１９は、作成した制御データをデータ制御部２０１に出力する。
【００９３】
[動作説明]
本実施例では、基地局装置は、基地局装置から近い位置にいる移動局装置に対しての衝突型（競合型）無線リソースの割り当て情報と基地局装置から遠い位置にいる移動局装置に対しての衝突型無線リソースの割り当て情報の両方を含んだ割り当て情報を作成して、１つの識別情報を使用して割り当て情報を移動局装置に送信し、移動局装置は、衝突型無線リソースの割り当てを示した識別情報を受信して、基地局装置から受信した衝突型無線リソース分割に関する情報と自移動局装置が測定した下りリンク無線伝搬路状態から使用する衝突型無線リソースを選択して、選択した無線リソースでデータを送信する。
【００９４】
例えば、基地局装置は、報知チャネルＰＢＣＨや下りリンク共用チャネルＰＤＳＣＨで衝突型無線リソースに対して分割するリソースの割合やリソースブロック数、分割する数などの衝突型無線リソースの分割に関する情報を移動局装置に通知しておく。そして、基地局装置が、衝突型無線リソースを割り当てる場合、衝突型無線リソースの割り当て情報に無線リソースの位置とリソースブロックの個数の情報を含めて移動局装置に通知する。移動局装置は、衝突型無線リソースの割り当て情報を受信すると、分割する無線リソースの割合や分割する無線リソースに含まれるリソースブロック数、割り当てられた無線リソースを分割する数などの衝突型無線リソースの分割に関する情報と割り当て情報から基地局装置から近い位置にいる移動局装置に対しての衝突型無線リソースの位置と個数、基地局装置から遠い位置にいる移動局装置に対しての衝突型無線リソースの位置と個数を算出する。そして、移動局装置は、測定した下りリンク無線伝搬路状態から使用する衝突型無線リソースを選択し、選択した無線リソースでデータを送信する。
このようにすることで、無線リソースを有効に使用でき、また、割り当て情報が１つで済むので、衝突型無線リソース割り当てを示す識別情報が少なくて済む。
【００９５】
基地局装置３と移動局装置１−１の動作を説明する。
図１６、図１７は、それぞれ、本発明の実施形態に係る基地局装置３と移動局装置１−１の衝突型データ送信の動作例を示すフローチャートである。
【００９６】
基地局装置３は、移動局装置１−１と１つ以上のコンポーネントキャリアを用いて、通信している。また、移動局装置１−１は、基地局装置３と上りリンク同期状態である。尚、上りリンク同期状態とは、移動局装置１−１が基地局装置３からの上りリンク送信タイミング情報を設定し、送信タイミング情報が有効な期間である状態を言う。また、基地局装置３は、サブフレーム単位で上りリンクの無線リソースのスケジューリングを行い、下りリンク制御チャネルＰＤＣＣＨでスケジューリング情報を通知している。そして、基地局装置３は、移動局装置１−１に報知チャネルＰＢＣＨや下りリンク共用チャネルＰＤＳＣＨで衝突型無線リソース分割に関する情報を通知しておく。衝突型無線リソース分割に関する情報は、分割するリソースの割合、分割する無線リソースに含まれるリソースブロック数、割り当てられた無線リソースを分割する数、近い位置にいる移動局装置の無線リソース及び遠い位置にいる移動局装置の無線リソースの変調符号化方式、データサイズなどである。尚、この情報は、基地局装置３と移動局装置１−１との間で予め決めておいても良い。
【００９７】
基地局装置３は、移動局装置個々に上りリンク共用チャネルＰＵＳＣＨの無線リソースを割り当てる。基地局装置３は、割り当て後、まだ、割り当てられる上りリンク共用チャネルＰＵＳＣＨの無線リソースが残っているかどうか調べる（ステップＳ５０１）。まだ、割り当てられる上りリンク共用チャネルＰＵＳＣＨの無線リソースが残っている場合、基地局装置３は、衝突型（競合型）無線リソースの割り当て（無線リソースの位置、無線リソース数、ＭＣＳ（Ｍｏｄｕｌａｔｉｏｎ  ａｎｄ  Ｃｏｄｉｎｇ  Ｓｃｈｅｍｅ：変調符号化方式）など）を行なう（ステップＳ５０２）。複数の無線リソースがあれば、基地局装置３は、基地局装置３から近い位置にいる移動局装置の無線リソース割り当て（データ容量が大きい割り当て）と基地局装置３から遠い位置にいる移動局装置の無線リソース割り当て（データ容量が小さい割り当て）を行なう。無線リソースが残っていない場合は、基地局装置３は、そのサブフレームの無線リソース割り当てのスケジューリングを終了する。
【００９８】
基地局装置３は、衝突型無線リソース割り当てを行なった結果から、衝突型無線リソース割り当てを示した識別情報とデータ容量が大きい衝突型無線リソース割り当て情報と小さい衝突型無線リソース割り当て情報を含んだ制御データを作成する（ステップＳ５０３）。基地局装置３は、下りリンク制御チャネルＰＤＣＣＨで作成した制御データを送信する（ステップＳ５０４）。そして、基地局装置３は、そのサブフレームの無線リソース割り当てのスケジューリングを終了する。
【００９９】
移動局装置１−１は、衝突型（競合型）無線リソース割り当てを示した識別情報を検出するために下りリンク制御チャネルＰＤＣＣＨをモニタリングする。移動局装置１−１は、下りリンク制御チャネルＰＤＣＣＨで衝突型無線リソース割り当てを示した識別情報を検出し、割り当て情報を取得した場合（ステップＳ６０１）、衝突型データ送信が必要かどうか確認する（ステップＳ６０２）。移動局装置１−１は、送信バッファに送信データがあり、移動局装置個別に上りリンク無線リソース割り当てがなく、衝突型データ送信が必要な場合、下りリンクの無線伝搬路状態を確認する（ステップＳ６０３）。下りリンクの無線伝搬路状態が良い場合、移動局装置１−１は、割り当て情報と衝突型無線リソース分割に関する情報からデータ容量が大きい衝突型無線リソースの位置・個数やデータサイズを算出し、データ容量が大きい衝突型無線リソースがあるかどうか確認する（ステップＳ６０４）。データ容量が大きい衝突型無線リソースがある場合、移動局装置１−１は、算出したデータサイズ、変調・符号化方式で衝突型データを作成し（ステップＳ６０５）、割り当てられた上りリンク共用チャネルＰＵＳＣＨの無線リソース位置で作成したデータを送信する（ステップＳ６０６）。移動局装置１−１は、データ送信後、基地局装置３からの衝突型データ送信応答を待ち、ＡＣＫ（Ａｃｋｎｏｗｌｅｄｇｅｍｅｎｔ：肯定応答）を受信した場合、送信したデータのバッファをクリアする。ＮＡＣＫ（Ｎｅｇａｔｉｖｅ  Ａｃｋｎｏｗｌｅｄｇｅｍｅｎｔ：否定応答）を受信した場合、送信したデータをバッファに残しておく（Ｓ６０７）。
【０１００】
下りリンクの無線伝搬路状態が悪い場合、移動局装置１−１は、割り当て情報と衝突型無線リソース分割に関する情報からデータ容量が小さい衝突型無線リソースの位置・個数やデータサイズを算出し、データ容量が小さい衝突型無線リソースがあるかどうか確認する（ステップＳ６０８）。データ容量が小さい衝突型無線リソースがある場合は、移動局装置１−１は、算出したデータサイズ、変調・符号化方式で衝突型データを作成し（ステップＳ６０９）、割り当てられた上りリンク共用チャネルＰＵＳＣＨの無線リソース位置で作成したデータを送信する（ステップＳ６１０）。移動局装置１−１は、データ送信後、基地局装置３からの衝突型データ送信に対する応答を待ち、ＡＣＫ（肯定応答）を受信した場合、送信したデータのバッファをクリアする。ＮＡＣＫ（否定応答）を受信した場合、送信したデータはバッファに残しておく（ステップＳ６１１）。
【０１０１】
移動局装置１−１は、送信バッファに送信データがない場合、または、移動局装置個別に上りリンク無線リソース割り当てがあり、衝突型データ送信の必要がない場合、または、下りリンクの無線伝搬路状態と衝突型無線リソースの割り当て情報が適さない場合、データ送信は行なわない。
【０１０２】
尚、上記説明では、データ容量が大きい衝突型無線リソース割り当てとデータ容量が小さい衝突型無線リソース割り当ての２つのグループ例を示したが、３つ以上あってもよい。
【０１０３】
具体的な例を図１８示す。
基地局装置３は、報知チャネルＰＢＣＨで分割するリソースの割合１：１（すなわち、近い位置にいる移動局装置の無線リソース１に対して遠い位置にいる移動局装置の無線リソース１の割合とする）、近い位置にいる移動局装置の無線リソースの変調符号化方式Ａと遠い位置にいる移動局装置の無線リソースの変調符号化方式Ｂ、無線リソースの配置順（データサイズ小／データサイズ大）を報知しておく。
【０１０４】
基地局装置３は、移動局装置個々に上りリンク共用チャネルＰＵＳＣＨの無線リソースを割り当てる。基地局装置３は、割り当て後、まだ、割り当てられる上りリンク共用チャネルＰＵＳＣＨの無線リソースが残っているかどうか調べる。まだ、割り当てられる上りリンク共用チャネルＰＵＳＣＨの無線リソースが残っている場合、図１８の様に衝突型無線リソースの割り当てを行なう。
【０１０５】
基地局装置３は、衝突型無線リソース割り当てを行なった結果から、衝突型無線リソース割り当てを示した識別情報Ｚと衝突型無線リソースの開始位置３と周波数領域で連続する無線リソース数６個を含んだ割り当て情報を作成する。そして、基地局装置３は、下りリンク制御チャネルＰＤＣＣＨで作成した割り当て情報を送信する。
【０１０６】
移動局装置１−１は、衝突型無線リソース割り当てを示した識別情報Ｚを検出するために下りリンク制御チャネルＰＤＣＣＨをモニタリングする。移動局装置１−１は、下りリンク制御チャネルＰＤＣＣＨで衝突型無線リソース割り当てを示した識別情報Ｚを検出し、割り当て情報を取得し、衝突型データ送信が必要かどうか確認する。送信バッファに送信データがあり、移動局装置個別に上りリンク無線リソース割り当てがなく、衝突型データ送信が必要な場合、移動局装置１−１は、下りリンクの無線伝搬路状態を確認する。尚、ここでは、無線伝搬路状態は良い状態とする。移動局装置１−１は割り当て情報と衝突型無線リソース分割に関する情報からデータ容量が大きい衝突型無線リソースの位置・個数やデータサイズを算出する。周波数領域で連続する無線リソース数は、６個で分割するリソースの割合が１：１であることからデータ容量が小さい衝突型無線リソース数及びデータ容量が大きい衝突型無線リソース数は、それぞれ３個であり、データ容量が大きい衝突型無線リソースの開始位置はリソースブロック６からとなる。そして、移動局装置１−１は、無線リソース数と変調符号化方式からデータサイズを算出して、算出したデータサイズ、変調・符号化方式をもとにデータを作成し、割り当てられた上りリンク共用チャネルＰＵＳＣＨの無線リソース位置（リソースブロック６、リソースブロック７、リソースブロック８）で作成したデータを送信する。移動局装置１−１は、データ送信後、基地局装置３からの衝突型データ送信に対する応答を待ち、ＡＣＫ（Ａｃｋｎｏｗｌｅｄｇｅｍｅｎｔ：肯定応答）を受信した場合、送信したデータのバッファをクリアする。ＮＡＣＫ（Ｎｅｇａｔｉｖｅ  Ａｃｋｎｏｗｌｅｄｇｅｍｅｎｔ：否定応答）を受信した場合、送信したデータをバッファに残しておく。
【０１０７】
このようにすることで、基地局装置と移動局装置の位置を考慮したデータ送信が可能になり、無線リソースを有効に使用することができる。
【０１０８】
また、別の例を図１９示す。
基地局装置３は、報知チャネルＰＢＣＨで分割するリソースの割合１：１（すなわち、近い位置にいる移動局装置の無線リソース１に対して遠い位置にいる移動局装置の無線リソース１の割合とする）、各衝突型無線リソースの分割数２、近い位置にいる移動局装置の無線リソースの変調符号化方式Ａと遠い位置にいる移動局装置の無線リソースの変調符号化方式Ｂ、無線リソースの配置順（データサイズ小／データサイズ大）を報知しておく。
【０１０９】
基地局装置３は、移動局装置個々に上りリンク共用チャネルＰＵＳＣＨの無線リソースを割り当てる。基地局装置３は、割り当て後、まだ、割り当てられる上りリンク共用チャネルＰＵＳＣＨの無線リソースが残っているかどうか調べる。まだ、割り当てられる上りリンク共用チャネルＰＵＳＣＨの無線リソースが残っている場合、基地局装置３は、図１９の様に衝突型無線リソースの割り当てを行なう。
【０１１０】
基地局装置３は、衝突型無線リソース割り当てを行なった結果から、衝突型無線リソース割り当てを示した識別情報Ｚと衝突型無線リソースの開始位置３番と周波数領域で連続する無線リソース数４個を含んだ割り当て情報を作成する。そして、基地局装置３は、下りリンク制御チャネルＰＤＣＣＨで作成した割り当て情報を送信する。
【０１１１】
移動局装置１−１は、衝突型無線リソース割り当てを示した識別情報Ｚを検出するために下りリンク制御チャネルＰＤＣＣＨをモニタリングする。移動局装置１−１は、下りリンク制御チャネルＰＤＣＣＨで衝突型無線リソース割り当てを示した識別情報Ｚを検出し、割り当て情報を取得する。移動局装置１−１は、衝突型データ送信が必要かどうか確認し、衝突型データ送信が必要な場合、下りリンクの無線伝搬路状態を確認する。尚、ここでは、下りリンク無線伝搬路状態は良い状態とする。移動局装置１−１は、割り当て情報と衝突型無線リソース分割に関する情報からデータ容量が大きい衝突型無線リソースの位置・個数やデータサイズを算出する。周波数領域で連続する無線リソース数は、４個で分割するリソースの割合が１：１であることからデータ容量が大きい衝突型無線リソース位置は、リソースブロック５番及びリソースブロック６番の２個であり、更に各衝突型無線リソースの分割数が２であるので、１つの移動局装置が使用可能なリソース数は１である。そして、移動局装置１−１は、無線リソース数と変調符号化方式からデータサイズを算出して、算出したデータサイズ、変調・符号化方式を元にデータを作成し、割り当てられた上りリンク共用チャネルＰＵＳＣＨの無線リソース位置のリソースブロック５、リソースブロック６のどちらかの無線リソースを使用して作成したデータを送信する。移動局装置１−１は、データ送信後、基地局装置３からの衝突型データ送信に対する応答を待ち、ＡＣＫ（Ａｃｋｎｏｗｌｅｄｇｅｍｅｎｔ：肯定応答）を受信した場合、送信したデータのバッファをクリアする。ＮＡＣＫ（Ｎｅｇａｔｉｖｅ  Ａｃｋｎｏｗｌｅｄｇｅｍｅｎｔ：否定応答）を受信した場合、送信したデータをバッファに残しておく。
【０１１２】
このようにすることで、基地局装置と移動局装置の位置を考慮したデータ送信が可能になり、無線リソースを有効に使用することができる。
【０１１３】
なお、本発明の実施形態では、移動局装置が無線伝搬路状態（パスロス）に基づいて衝突型上りリンクデータ送信用の無線リソースを選択する場合について示したが、ＧＰＳ（Ｇｌｏｂａｌ  Ｐｏｓｉｔｉｏｎｉｎｇ  Ｓｙｓｔｅｍ）に基づいて基地局装置からの距離を推定し、推定した結果から基地局装置から近い位置にいるか、遠い位置にいるかを判断し、判断した結果に基づいて衝突型上りリンクデータ送信用の無線リソースを選択するようにしてもよい。
【０１１４】
また、本発明の実施形態では、衝突型データの送信容量が異なるデータ容量となるような割り当て処理の例を示したが、送信容量が同じとなるような割り当て処理を行ってもよい。例えば、基地局装置は、衝突型無線リソースを基地局装置から遠い位置にいる移動局装置に対して、２つのリソースブロックを割り当て、基地局装置から近い位置にいる移動局装置に対して、基地局装置は、１つのリソースブロックを割り当てるようにして、同じデータ容量となるように割り当て処理を行なう。
【０１１５】
また、本発明の実施形態では、移動局装置が衝突型無線リソース割り当てを示した識別情報のモニタリングを行なう例を示したが、基地局装置から定期的な無線リソース割り当てを通知されている移動局装置や移動局装置の送信バッファ状態を基地局装置に通知し、基地局装置から個別に無線リソース割り当てされるような移動局装置は、衝突型無線リソース割り当てを示した識別情報のモニタリングを行なわなくてもよい。
【０１１６】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１１７】
また、説明の便宜上、実施形態の移動局装置１−１及び基地局装置３を機能的なブロック図を用いて説明したが、移動局装置１−１及び基地局装置３の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。なお、ここでいう「コンピュータシステム」とは、ＯＳや周辺機器等のハードウェアを含むものとする。
【０１１８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１１９】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１２０】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１２１】
１−１〜１−３  移動局装置
３  基地局装置
１０１、２１３  無線部
１０３、２０３  送信処理部
１０５、２０７  受信処理部
１０７、２０１  データ制御部
１０９、２０９  制御データ抽出部  
１１１、２０５制御部
１１３、１２３、２１３、２２１  スケジューリング部
【図１】
2011142533.tif 000003
【図２】
2011142533.tif 000004
【図３】
2011142533.tif 000005
【図４】
2011142533.tif 000006
【図５】
2011142533.tif 000007
【図６】
2011142533.tif 000008
【図７】
2011142533.tif 000009
【図８】
2011142533.tif 000010
【図９】
2011142533.tif 000011
【図１０】
2011142533.tif 000012
【図１１】
2011142533.tif 000013
【図１２】
2011142533.tif 000014
【図１３】
2011142533.tif 000015
【図１４】
2011142533.tif 000016
【図１５】
2011142533.tif 000017
【図１６】
2011142533.tif 000018
【図１７】
2011142533.tif 000019
【図１８】
2011142533.tif 000020
【図１９】
2011142533.tif 000021